(57)【要約】【課題】吸収性物品の使用に不慣れなユーザーが正しい前後方向の向きで吸収性物品を装着できるように誘導すること。【解決手段】吸収性物品のパッケージ（４０）であって、吸収性物品（１）の動物図柄（３２）の上下方向が吸収性物品（１）の前後方向に揃っており、パッケージ（４０）が吸収性物品（１）の動物図柄（３２）と同じ種類の動物図柄（３５）を有し、その上下方向がパッケージ（４０）の上下方向に揃っていることと、吸収性物品包装体（２０）が吸収性物品（１）の動物図柄（３２）と同じ種類の動物図柄（３１）を有し、パッケージ内において、その動物図柄（３１）の上下方向がパッケージ（４０）の上下方向に揃っていることの少なくとも一方であること。【選択図】図８
2018100130.tif 000002
【特許請求の範囲】
【請求項１】
生理用ナプキン、パンティライナー、又は吸収パッドであって、前後方向を備える吸収性物品と、
前記吸収性物品を包装する包装材と、
を有する吸収性物品包装体を複数内包する吸収性物品のパッケージであって、
前記吸収性物品は、上下方向を備える動物図柄を有し、
前記吸収性物品の前記動物図柄の上下方向が、前記吸収性物品の前後方向に揃っており、
前記パッケージは、当該パッケージの外部から視認可能であって、前記吸収性物品の前記動物図柄と同じ種類の動物図柄を有し、かつ、当該動物図柄の上下方向が、前記パッケージの上下方向に揃っていることと、
前記吸収性物品包装体は、当該吸収性物品包装体の外部から視認可能であって、前記吸収性物品の前記動物図柄と同じ種類の動物図柄を有し、かつ、前記吸収性物品包装体が前記パッケージに内包されている状態において、前記吸収性物品包装体が有する前記動物図柄の上下方向が、前記パッケージの上下方向に揃っていることと、
のうちの少なくとも一方であることを特徴とする吸収性物品のパッケージ。
【請求項２】
請求項１に記載の吸収性物品のパッケージであって、
前記パッケージは、当該パッケージの外部から前記吸収性物品包装体の少なくとも一部を視認可能な窓部を有し、
前記窓部から視認される前記吸収性物品包装体の前記動物図柄の上下方向が、前記パッケージの上下方向に揃っていることを特徴とする吸収性物品のパッケージ。
【請求項３】
請求項２に記載の吸収性物品のパッケージであって、
前記パッケージの上下方向における前記窓部の最大長さは、前記吸収性物品包装体を開封して展開した状態における前記吸収性物品包装体の前記動物図柄の上下方向の長さ以上であることを特徴とする吸収性物品のパッケージ。
【請求項４】
請求項３に記載の吸収性物品のパッケージであって、
前記吸収性物品包装体の前記動物図柄は、前記動物図柄の上下方向に間隔を空けて配置されるとともに、前記動物図柄の幅方向に重複して配置された第１動物図柄及び第２動物図柄を有し、
前記第１動物図柄は、前記第２動物図柄よりも上側に配置されており、
前記パッケージの上下方向における前記窓部の最大長さは、前記吸収性物品包装体を開封して展開した状態において前記動物図柄の上下方向における前記第１動物図柄の上端から前記第２動物図柄の上端までの長さ以上であることを特徴とする吸収性物品のパッケージ。
【請求項５】
請求項２から４の何れか１項に記載の吸収性物品のパッケージであって、
複数の前記吸収性物品包装体がその厚み方向に並んだ状態で内包されており、
前記包装材が、前記吸収性物品を内包しつつ、所定方向に沿う折り部にて折り畳まれた状態において、前記吸収性物品包装体の前記動物図柄の少なくとも一部が前記折り部に位置し、かつ、当該動物図柄の上下方向が前記所定方向に揃っており、
前記パッケージの前記窓部から、前記折り部に位置する前記動物図柄の少なくとも一部が視認可能であることを特徴とする吸収性物品のパッケージ。
【請求項６】
請求項５に記載の吸収性物品のパッケージであって、
前記パッケージに内包されている状態における前記吸収性物品包装体の厚みは、前記吸収性物品包装体を開封して展開した状態における前記動物図柄の幅方向の長さの１／２以上であることを特徴とする吸収性物品のパッケージ。
【請求項７】
請求項６に記載の吸収性物品のパッケージであって、
前記パッケージに内包されている状態における前記吸収性物品包装体の厚みは、前記吸収性物品包装体を開封して展開した状態における前記動物図柄の幅方向の長さ以上であることを特徴とする吸収性物品のパッケージ。
【請求項８】
請求項５から７の何れか１項に記載の吸収性物品のパッケージであって、
前記吸収性物品包装体は、前記吸収性物品包装体を開封して展開した状態において、前記動物図柄が配置されている配置領域と、前記動物図柄が配置されていない非配置領域とを、前記動物図柄の幅方向に交互に有し、
前記パッケージに内包されている状態での前記吸収性物品包装体の厚みは、前記吸収性物品包装体を開封して展開した状態における前記非配置領域の幅よりも大きいことを特徴とする吸収性物品のパッケージ。
【請求項９】
請求項５から８の何れか１項に記載の吸収性物品のパッケージであって、
前記厚み方向に隣り合う前記吸収性物品包装体それぞれの前記折り部に位置する前記動物図柄の少なくとも一部は、前記パッケージの前記窓部から視認可能であって、前記動物図柄の上下方向にずれて配置されていることを特徴とする吸収性物品のパッケージ。
【請求項１０】
請求項１から９の何れか１項に記載の吸収性物品のパッケージであって、
前記吸収性物品は、
排泄液を吸収する吸収体、及び、吸収体よりも肌側に位置する肌側シートを備え、
前記吸収体と前記肌側シートとのうちの少なくとも一方が、その厚さ方向に窪んだ凹部を有し、
前記吸収性物品の前記動物図柄は、前記凹部によって形成されていることを特徴とする吸収性物品のパッケージ。
【発明の詳細な説明】
【技術分野】
【０００１】
本発明は、吸収性物品のパッケージに関する。
【背景技術】
【０００２】
吸収性物品包装体として、特許文献１には、生理用ナプキン本体が包装シートの上面に重ねて接着された状態で、包装シートをナプキン本体と一緒に３つに折り畳んだ包装生理用ナプキンが開示されている。特許文献１の包装生理用ナプキンでは、バックシートに絵柄が設けられている。
【先行技術文献】
【特許文献】
【０００３】
【特許文献１】特開２００５−１８５８５８号公報
【発明の概要】
【発明が解決しようとする課題】
【０００４】
生理用ナプキン、パンティライナー、又は吸収パッドである吸収性物品の中には、前後方向を備えるものがある。例えば、着用者の臀部側に位置する後側の方が前側に比べて、幅が広く長い形状であったり、排泄口が位置する前側の方が後側に比べて吸収能力が高い構成になっていたりする場合がある。しかし、吸収性物品の使用に不慣れなユーザーは、吸収性物品の前後方向を誤って装着してしまう場合がある。
特許文献１のナプキンに設けられた絵柄は、吸収体が吸収した経血のシミをカムフラージュすることを目的としている。そのため、例示されている絵柄は、比較的大柄の葉や蔓性草花であったり、細かい格子模様であったり、星形等の比較的小さい絵柄が多数散りばめられたものであった。これらの絵柄は方向性を有さず、ユーザーはこれらを見ても吸収性物品の前後方向を知ることはできない。
【０００５】
そこで、本発明は、吸収性物品の使用に不慣れなユーザーが正しい前後方向の向きで吸収性物品を装着できるように誘導する吸収性物品のパッケージの提供を目的とする。
【課題を解決するための手段】
【０００６】
上記目的を達成するための主たる発明は、生理用ナプキン、パンティライナー、又は吸収パッドであって、前後方向を備える吸収性物品と、前記吸収性物品を包装する包装材と、を有する吸収性物品包装体を複数内包する吸収性物品のパッケージであって、前記吸収性物品は、上下方向を備える動物図柄を有し、前記吸収性物品の前記動物図柄の上下方向が、前記吸収性物品の前後方向に揃っており、前記パッケージは、当該パッケージの外部から視認可能であって、前記吸収性物品の前記動物図柄と同じ種類の動物図柄を有し、かつ、当該動物図柄の上下方向が、前記パッケージの上下方向に揃っていることと、前記吸収性物品包装体は、当該吸収性物品包装体の外部から視認可能であって、前記吸収性物品の前記動物図柄と同じ種類の動物図柄を有し、かつ、前記吸収性物品包装体が前記パッケージに内包されている状態において、前記吸収性物品包装体が有する前記動物図柄の上下方向が、前記パッケージの上下方向に揃っていることと、のうちの少なくとも一方であることを特徴とする吸収性物品のパッケージである。
本発明の他の特徴については、本明細書及び添付図面の記載により明らかにする。
【発明の効果】
【０００７】
本発明によれば、吸収性物品の使用に不慣れなユーザーが正しい前後方向の向きで吸収性物品を装着できるように誘導する吸収性物品のパッケージを提供できる。
【図面の簡単な説明】
【０００８】
【図１】生理用ナプキン１を肌側から見た平面図である。
【図２】包装材１０の外側面１０２を説明する平面図である。
【図３】図３Ａは吸収性物品包装体２０の平面図であり、図３Ｂは吸収性物品包装体２０の折り部２１の説明図である。
【図４】吸収性物品包装体２０を開封して展開し、ナプキン１の肌側から見た状態の図である。
【図５】図５Ａ及び図５Ｂは吸収性物品包装体の折り畳み方法の説明図である。
【図６】個包装体２０のパッケージ４０の概略斜視図である。
【図７】図７Ａ及び図７Ｂはパッケージ４０内での個包装体２０の状態を説明する図である。
【図８】パッケージ４０の正面４０Ａを示す図である。
【図９】図９Ａ及び図９Ｂは個包装体２０の動物図柄３１の向きが異なる場合の説明図である。
【図１０】図１０Ａ及び図１０Ｂはパッケージ４０の変形例の説明図である。
【図１１】図１１Ａから図１１Ｄは個包装体２０の変形例の説明図である。
【図１２】包装材１０の動物図柄３１の変形例の説明図である。
【発明を実施するための形態】
【０００９】
本明細書及び添付図面の記載により、少なくとも以下の事項が明らかとなる。
生理用ナプキン、パンティライナー、又は吸収パッドであって、前後方向を備える吸収性物品と、前記吸収性物品を包装する包装材と、を有する吸収性物品包装体を複数内包する吸収性物品のパッケージであって、前記吸収性物品は、上下方向を備える動物図柄を有し、前記吸収性物品の前記動物図柄の上下方向が、前記吸収性物品の前後方向に揃っており、前記パッケージは、当該パッケージの外部から視認可能であって、前記吸収性物品の前記動物図柄と同じ種類の動物図柄を有し、かつ、当該動物図柄の上下方向が、前記パッケージの上下方向に揃っていることと、前記吸収性物品包装体は、当該吸収性物品包装体の外部から視認可能であって、前記吸収性物品の前記動物図柄と同じ種類の動物図柄を有し、かつ、前記吸収性物品包装体が前記パッケージに内包されている状態において、前記吸収性物品包装体が有する前記動物図柄の上下方向が、前記パッケージの上下方向に揃っていることと、のうちの少なくとも一方であることを特徴とする吸収性物品のパッケージである。
【００１０】
このような吸収性物品のパッケージによれば、パッケージの動物図柄の上下方向とパッケージの上下方向とが揃っている状態や、パッケージを開封した時等に吸収性物品包装体の動物図柄の上下方向とパッケージの上下方向とが揃っている状態を見たユーザーの潜在意識には、動物図柄及びその上下方向が刷り込まれる。よって、吸収性物品の動物図柄を見たユーザーは、その動物図柄の上下方向が吸収性物品の前後方向に対応していることを潜在的に認知しやすい。そのため、正しい前後方向の向きで吸収性物品を装着するようユーザーを誘導できる。
【００１１】
かかる吸収性物品のパッケージであって、前記パッケージは、当該パッケージの外部から前記吸収性物品包装体の少なくとも一部を視認可能な窓部を有し、前記窓部から視認される前記吸収性物品包装体の前記動物図柄の上下方向が、前記パッケージの上下方向に揃っていることを特徴とする吸収性物品のパッケージである。
【００１２】
このような吸収性物品のパッケージによれば、パッケージの外部から、吸収性物品包装体の動物図柄の上下方向とパッケージの上下方向とが揃っている状態を視認できる。
【００１３】
かかる吸収性物品のパッケージであって、前記パッケージの上下方向における前記窓部の最大長さは、前記吸収性物品包装体を開封して展開した状態における前記吸収性物品包装体の前記動物図柄の上下方向の長さ以上であることを特徴とする吸収性物品のパッケージである。
【００１４】
このような吸収性物品のパッケージによれば、上下方向に欠けていない又は欠けた部位の小さい動物図柄を窓部から視認でき、動物図柄及びその上下方向がユーザーに認識されやすくなる。
【００１５】
かかる吸収性物品のパッケージであって、前記吸収性物品包装体の前記動物図柄は、前記動物図柄の上下方向に間隔を空けて配置されるとともに、前記動物図柄の幅方向に重複して配置された第１動物図柄及び第２動物図柄を有し、前記第１動物図柄は、前記第２動物図柄よりも上側に配置されており、前記パッケージの上下方向における前記窓部の最大長さは、前記吸収性物品包装体を開封して展開した状態において前記動物図柄の上下方向における前記第１動物図柄の上端から前記第２動物図柄の上端までの長さ以上であることを特徴とする吸収性物品のパッケージである。
【００１６】
このような吸収性物品のパッケージによれば、窓部に対向する吸収性物品包装体の部位に、動物図柄の少なくとも一部が配置され、また、複数の動物図柄が上下方向に並んで配置されやすくなる。よって、動物図柄及びその上下方向がユーザーに認識されやすくなる。
【００１７】
かかる吸収性物品のパッケージであって、複数の前記吸収性物品包装体がその厚み方向に並んだ状態で内包されており、前記包装材が、前記吸収性物品を内包しつつ、所定方向に沿う折り部にて折り畳まれた状態において、前記吸収性物品包装体の前記動物図柄の少なくとも一部が前記折り部に位置し、かつ、当該動物図柄の上下方向が前記所定方向に揃っており、前記パッケージの前記窓部から、前記折り部に位置する前記動物図柄の少なくとも一部が視認可能であることを特徴とする吸収性物品のパッケージである。
【００１８】
このような吸収性物品のパッケージによれば、パッケージの外部から、吸収性物品包装体の動物図柄の上下方向とパッケージの上下方向とが揃っている状態を視認できる。
【００１９】
かかる吸収性物品のパッケージであって、前記パッケージに内包されている状態における前記吸収性物品包装体の厚みは、前記吸収性物品包装体を開封して展開した状態における前記動物図柄の幅方向の長さの１／２以上であることを特徴とする吸収性物品のパッケージである。
【００２０】
このような吸収性物品のパッケージによれば、吸収性物品包装体の折り部に、幅方向に欠けていない又は欠けた部位の小さい動物図柄が配置され、それがパッケージの窓部から視認される。そのため、動物図柄及びその上下方向がユーザーに認識されやすくなる。
【００２１】
かかる吸収性物品のパッケージであって、前記パッケージに内包されている状態における前記吸収性物品包装体の厚みは、前記吸収性物品包装体を開封して展開した状態における前記動物図柄の幅方向の長さ以上であることを特徴とする吸収性物品のパッケージである。
【００２２】
このような吸収性物品のパッケージによれば、吸収性物品包装体の折り部に、幅方向に欠けていない又は欠けた部位の小さい動物図柄が配置され、それがパッケージの窓部から視認される。そのため、動物図柄及びその上下方向がユーザーに認識されやすくなる。
【００２３】
かかる吸収性物品のパッケージであって、前記吸収性物品包装体は、前記吸収性物品包装体を開封して展開した状態において、前記動物図柄が配置されている配置領域と、前記動物図柄が配置されていない非配置領域とを、前記動物図柄の幅方向に交互に有し、前記パッケージに内包されている状態での前記吸収性物品包装体の厚みは、前記吸収性物品包装体を開封して展開した状態における前記非配置領域の幅よりも大きいことを特徴とする吸収性物品のパッケージである。
【００２４】
このような吸収性物品のパッケージによれば、吸収性物品包装体の折り部に、動物図柄の少なくとも一部が配置され、それがパッケージの窓部から視認される。そのため、動物図柄及びその上下方向がユーザーに認識されやすくなる。
【００２５】
かかる吸収性物品のパッケージであって、前記厚み方向に隣り合う前記吸収性物品包装体それぞれの前記折り部に位置する前記動物図柄の少なくとも一部は、前記パッケージの前記窓部から視認可能であって、前記動物図柄の上下方向にずれて配置されていることを特徴とする吸収性物品のパッケージである。
【００２６】
このような吸収性物品のパッケージによれば、吸収性物品包装体の動物図柄及びその上下方向がユーザーに認識されやすくなる。
【００２７】
かかる吸収性物品包のパッケージであって、前記吸収性物品は、排泄液を吸収する吸収体、及び、吸収体よりも肌側に位置する肌側シートを備え、前記吸収体と前記肌側シートとのうちの少なくとも一方が、その厚さ方向に窪んだ凹部を有し、前記吸収性物品の前記動物図柄は、前記凹部によって形成されていることを特徴とする吸収性物品のパッケージである。
【００２８】
このような吸収性物品のパッケージによれば、ユーザーは、吸収性物品の使用後も、吸収性物品の動物図柄を視認でき、その上下方向に基づいて、正しい前後方向の向きで吸収性物品を装着していたかを確認できる。
【００２９】
＝＝＝実施形態＝＝＝
本発明に係る吸収性物品包装体は、生理用ナプキン、パンティライナー（おりものシート）、又は吸収パッドである吸収性物品と、吸収性物品を包装する包装材とを有する。以下の実施形態では、吸収性物品を生理用ナプキンとして説明する。
【００３０】
＜＜生理用ナプキン１の基本構成＞＞
図１は、生理用ナプキン１（以下「ナプキン」ともいう）を肌側から見た平面図である。ナプキン１は、互いに直交する前後方向（長手方向）と短手方向と厚さ方向を有する。前後方向において着用者の腹側となる側が前側であり、着用者の背側となる側が後側である。厚さ方向において着用者に当接する側が肌側であり、その反対側が非肌側である。
【００３１】
ナプキン１は、排泄液を吸収する吸収体２と、吸収体２よりも肌側に配置された液透過性のトップシート３と、吸収体２よりも非肌側に配置された液不透過性のバックシート４を有する。吸収体２としては、パルプ繊維等の液体吸収性繊維に高吸収性ポリマー（所謂ＳＡＰ）を含有させたものを所定の形状に成形したものを例示できる。
【００３２】
また、ナプキン１は、前後方向の略中央部（詳しくは着用者の排泄口に当接する排泄口当接部）において、短手方向の外側に延出した一対のウィング部５を有する。図１に示すように、前後方向においてウィング部５が位置するナプキン１の領域を中央領域１Ｂとし、中央領域１Ｂよりも前側のナプキン１の領域を前方領域１Ａとし、中央領域１Ｂよりも後側のナプキン１の領域を後方領域１Ｃとする。
【００３３】
また、ナプキン１は、吸収体２とトップシート３（肌側シート）とのうちの少なくとも一方が、その厚さ方向に窪んだ圧縮凹部７（凹部）を有している。本実施形態では、トップシート３の肌側面からトップシート３及び吸収体２が厚さ方向に圧縮され、トップシート３及び吸収体２が接合一体化されている。圧縮凹部７によって、吸収体２の型崩れを防止でき、吸収体２の液拡散性を向上させることができる。
【００３４】
また、圧縮凹部７は、吸収体２の外周縁部において、多数の点状圧縮部８が間隔を空けて線状に並ぶことにより構成されており、全体として前後方向に長い略環状を成している。さらに、本実施形態の圧縮凹部７は動物の形状（図１では猫）を成している。つまり、本実施形態のナプキン１には、圧縮凹部７によって、ナプキン１の肌側から視認可能な「動物図柄３２」が形成されている。ただし、圧縮凹部７はナプキン１の肌側から視認可能であればよく、例えば、吸収体２のみが圧縮されて動物図柄が形成されていてもよい。また、トップシート３のみにエンボス加工を施すことで動物図柄を設けてもよい。また、バックシート４側から圧縮されていてもよい。
【００３５】
なお、圧縮凹部７では、周囲に比べて吸収体２の厚みが薄く、密度が高くなっている。これらの比較は周知の方法で行うとよい。吸収体２の厚みの比較としては、ミツトヨ（株）製のダイアルシックネスゲージＩＤ−Ｃ１０１２Ｃ又はそれと同等のものを使用し、対象部位を加圧して測定した値を取得して比較する方法や、目視で比較する方法を例示できる。吸収体２の密度の比較としては、ナプキン１から対象部位をサンプルとして切り出し、サンプルの質量及び面積を測定し、サンプルの質量を面積で除することで得られた単位面積当たりの質量（ｇ／ｍ2）を、上記の方法で取得した厚み（ｍ）で除することで得られた値（ｇ／ｍ3）を比較する方法を例示できる。
【００３６】
また、図１に示すナプキン１の構成は一例であり、これに限定されない。例えば、ウィング部を有さないナプキンでもよい。その場合、ナプキンの前端から、ナプキン１の前後方向における全長の１／３の長さまでの領域を前方領域とする。また、例えば、トップシートの短手方向の両側部から短手方向の外側に延出する一対のサイドシートを有し、サイドシート及びバックシートによってウィング部を構成するナプキン等であってもよい。
【００３７】
＜＜包装材１０について＞＞
図２は、包装材１０の外側面１０２を説明する平面図である。包装材１０は、長方形状であるシート状の部材であり、長手方向及び短手方向を有するとともに、内側面１０１、及び、内側面１０１の反対面である外側面１０２を有する。包装材１０の内側面１０１は、ナプキン１を包装する際に内側になる面である。包装材１０の外側面１０２は、ナプキン１を包装材１０で包装した吸収性物品包装体２０（後述の図３Ａ参照）の外部から視認される面である。
【００３８】
包装材１０の長手方向における一方側の端部には、包装材１０の開封端１０ａを止着するテープ１１が設けられている。テープ１１は、その一部が包装材１０の長手方向の外側に延出するように、包装材１０の外側面１０２に接着剤等で固定されている。
【００３９】
また、包装材１０は、内側面１０１側から視認可能である複数の動物図柄３０と、外側面１０２側から視認可能である複数の動物図柄３１とを有する。本実施形態では、内側面１０１に印刷された動物図柄３０が外側面１０２側に透けて視認されるものとする。よって、外側面１０２側から視認される動物図柄３１は、内側面１０１側から視認される動物図柄３０が反転した図柄となっている。
【００４０】
本実施形態の動物図柄３０，３１は、猫であり、猫の頭部（図２の３１１）と胴体（３１２）と尻尾（３１３）と猫の首に付けられたリボン（３１４）を有する。よって、動物図柄３０，３１は互いに直交する上下方向及び幅方向を有する。上下方向において、猫の頭部（３１１）側が上側であり、猫の尻尾（３１３）側が下側である。
【００４１】
また、動物図柄３０，３１は、その上下方向が包装材１０の短手方向に揃い、その幅方向が包装材１０の長手方向に揃うように配置されている。また、全ての動物図柄３０，３１が同じ向きに配置されている。
【００４２】
また、複数の動物図柄３０，３１は包装材１０の長手方向及び短手方向に間隔を空けて並んで配置されるとともに、包装材１０の短手方向に隣り合う動物図柄３０，３１は、包装材１０の長手方向にずれて配置されている。つまり、複数の動物図柄３０，３１は千鳥状に配置されている。
【００４３】
包装材１０の地色は白色であっても有色であってもよい。本実施形態のナプキン１の主な着用対象者は、例えばナプキンの使用期間が短いユーザーである若年層や、そのブランドの商品の使用を開始して間もないユーザー等である。そのため、本実施形態では、若年層が好む傾向にあるピンク色の印刷を白色のシートに施して包装材１０とした。また、動物図柄３０，３１における猫の部位３０１〜３０３，３１１〜３１３を黒色とし、猫のシルエットを表すものとする。また、猫に付けられたリボン３０４，３１４は包装材１０のピンク色よりも濃いピンク色とする。
【００４４】
また、図示しないが、包装材１０は、動物図柄３０，３１とは別の図柄や、商品名やサイズ等を示す文字を有していてもよい。また、包装材１０の地色は１色で構成されるに限らず、例えば淡いピンク色と濃いピンク色の縞模様で構成されていてもよい。
【００４５】
なお、包装材１０の外側面１０２に動物図柄が印刷されていてもよいし、包装材１０は、その内側面１０１側から視認可能な動物図柄３０を有していなくてもよい。また、各面１０１，１０２に個別に動物図柄３０，３１が印刷されてもよい。また、包装材１０が有する動物図柄３０，３１は印刷によって形成するに限らず、例えば、エンボスパターンによって形成してもよい。
【００４６】
＜＜吸収性物品包装体（個包装体）２０について＞＞
図３Ａは、吸収性物品包装体２０の平面図であり、図３Ｂは、吸収性物品包装体２０の折り部２１の説明図である。図４は、吸収性物品包装体２０を開封して展開し、ナプキン１の肌側から見た状態の図である。図５Ａ及び図５Ｂは、吸収性物品包装体２０の折り畳み方法の説明図である。
【００４７】
吸収性物品包装体２０は、包装材１０がナプキン１を個別に内包しつつ折り畳まれたものである（以下「個包装体」ともいう）。個包装体２０は、図３Ａ及び図３Ｂに示すように、互いに直交する横方向、縦方向、及び、厚み方向を有する。
【００４８】
個包装体２０を開封して展開した状態（図４）では、包装材１０の内側面１０１上に、ナプキン１がその肌側面を上にして配置されている。また、包装材１０の長手方向がナプキン１の前後方向に沿い、かつ、包装材１０の短手方向がナプキン１の短手方向に沿っている。
【００４９】
本実施形態の個包装体２０では、包装材１０が、ナプキン１と共にナプキン１の肌側面を内側にし、短手方向に沿う２つの折り位置ＦＬ１，ＦＬ２にて折り畳まれているものとする。折り位置ＦＬ１に沿う方向（所定方向）すなわち包装材１０の短手方向が、個包装体２０の横方向に対応し、包装材１０の長手方向が、個包装体２０の縦方向に対応している。
【００５０】
ナプキン１は厚みを有するため、個包装体２０は包装材１０の折り位置ＦＬ１，ＦＬ２にて厚み（Ｗ４）を有する。厚み（Ｗ４）を有する個包装体２０の面であり、個包装体２０をその縦方向に見た場合に見える側面を「折り部２１」という。個包装体２０の縦方向の一方側に位置する折り部２１を「第１折り部２１１」といい、その反対側に位置する折り部２１を「第２折り部２１２」という。詳しくは、ナプキン１の前後方向における前側の折り位置ＦＬ１（図５Ｂ）での折り部２１が「第1折り部２１１」であり、後側の折り位置ＦＬ２（図５Ａ）での折り部２１が「第２折り部２１２」である。
【００５１】
なお、折り位置の数は２つに限らず、１つでも３つ以上であってもよい。また、個包装体２０は、包装材１０の短手方向に沿う折り位置だけでなく、包装材１０の長手方向に沿う折り位置にて折り畳まれていてもよい。また、単体で折り畳まれたナプキン１を、包装材１０が内包しつつ、包装材１０の短手方向に沿う折り位置で折り畳まれていてもよい。
【００５２】
個包装体２０では、図３Ａ及び図３Ｂに示すように、包装材１０の幅方向の両側端部１３が接合されている。接合方法は、例えば、ヒートシール、超音波シール、接着剤、これらの組み合わせ等、周知の接合方法を例示できる。また、テープ１１が包装材１０の外側面１０２に固定され、包装材１０の開封端１０ａはテープ１１によって止着されている。
【００５３】
テープ１１が把持されて、ナプキン１の前側の折り位置ＦＬ１での折りが展開されると、図５Ｂの状態になる。この時、ナプキン１のウィング部５は幅方向の内側に折り返されており、ウィング部５の上面の粘着部５Ａ（図５Ａ参照）は剥離シート１２で覆われている。ちなみに、ウィング部５は、ナプキン１の着用時において、着用者の下着の非肌側面側に折り返され、粘着部５Ａによって下着の非肌側面に固定される。さらに、ナプキン１の後側の折り位置ＦＬ２での折りが展開されると、図５Ａの状態となる。
【００５４】
＜＜個包装体２０のパッケージ４０について＞＞
図６は、個包装体２０のパッケージ４０の概略斜視図である。図７Ａ及び図７Ｂは、パッケージ４０内での個包装体２０の状態を説明する図である。図７Ａはパッケージ４０の正面４０Ａ側から見た図であり、図７Ｂはパッケージ４０の裏面４０Ｄ側から見た図である。図８は、パッケージ４０の正面４０Ａを示す図である。
【００５５】
個包装体２０は、複数個ずつパッケージ４０（袋体）に内包された状態で流通する。本実施形態のパッケージ４０は、略直方体形状であり、正面４０Ａと、正面４０Ａに対向する裏面４０Ｄと、互いに対向する一対の側面４０Ｂと、互いに対向する上面４０Ｃ及び下面を有する。また、パッケージ４０は、互いに直交する横方向と上下方向と奥行方向を有する。パッケージ４０が有する面のうち、最も大きい商品名４２（図８参照）が設けられた面を正面４０Ａとする。そして、正面４０Ａに設けられた商品名４２の上下方向をパッケージ４０の上下方向とする。なお、パッケージ４０の形状は、図６に示すものに限定されず、例えば、筒状の包装材の上下を封じた袋形状のものであってもよい。
【００５６】
パッケージ４０では、複数の個包装体２０がその厚み方向に並んだ状態で内包されている。個包装体２０が並んだ方向（厚み方向）がパッケージ４０の横方向に沿い、個包装体２０の横方向（折り部２１が延びる方向）がパッケージ４０の上下方向に沿い、個包装体２０の縦方向がパッケージ４０の奥行方向に沿っている。よって、個包装体２０の平面（例えば図３Ａに示す面）がパッケージ４０の側面４０Ｂに対向している。また、個包装体２０の第１折り部２１１がパッケージ４０の正面４０Ａに対向し、個包装体２０の第２折り部２１２がパッケージ４０の裏面４０Ｄに対向している。
【００５７】
＜＜パッケージ４０における動物図柄について＞＞
前述のように（図１参照）、ナプキン１は、その肌側から視認可能であって、圧縮凹部７によって形成された動物図柄３２を有する。ナプキン１の動物図柄３２は、上下方向を有する猫である。
【００５８】
そして、ナプキン１の動物図柄３２の上下方向が、ナプキン１の前後方向に揃っている。すなわちナプキン１の動物図柄３２の上下方向がナプキン１の前後方向に沿って略平行であり、ナプキン１の動物図柄３２の上側がナプキン１の前側と一致している。具体的に説明すると、ナプキン１の前方領域１Ａに猫の頭部３２１が位置し、ナプキン１の中央領域１Ｂに猫の胴体３２２が位置し、ナプキン１の後方領域１Ｃに猫の尻尾３２３が位置している。
【００５９】
また、図８に示すように、本実施形態のパッケージ４０は、その正面４０Ａに、パッケージ４０の外部から視認可能な動物図柄３５を有する。例えばパッケージ４０の外表面に動物図柄３５が印刷されている。この動物図柄３５は、ナプキン１が有する動物図柄３２と同じ種類の動物、すなわち猫である。さらに、パッケージ４０の動物図柄３５の上下方向が、パッケージ４０の上下方向に揃っている。すなわち動物図柄３５の上下方向がパッケージ４０の上下方向に沿って略平行であり、動物図柄３５の上側がパッケージ４０の上側と一致している。
【００６０】
そのため、パッケージ４０に印刷された動物図柄３５の上下方向とパッケージ４０の上下方向とが揃っている状態を見たユーザーの潜在意識には、動物図柄３５及びその上下方向が刷り込まれる。よって、ナプキン１を装着するために、個包装体２０を開封して展開した状態（図４）において、パッケージ４０の動物図柄３５と同じ種類であるナプキン１の動物図柄３２を見たユーザーは、その動物図柄３２が上下方向を有し、その動物図柄３２の上下方向がナプキン１の前後方向に対応していることを潜在的に認知しやすい。そのため、ユーザーは、無意識のうちに、動物図柄３２の上側に位置していたナプキン１の前方領域１Ａを自身の前側（腹側）に合わせて、ナプキン１を装着しやすくなる。よって、ナプキン１の使用に不慣れなユーザーであっても、正しい前後方向の向きでナプキン１を装着するよう誘導できる。
【００６１】
また、本実施形態の個包装体２０は、個包装体２０の外部から視認可能であって、ナプキン１が有する動物図柄３２と同じ種類の動物図柄３１を有する。個包装体２０の外部から視認可能な動物図柄３１とは、包装材１０に設けられた図柄３１であって、図２に示すように包装材１０の外側面１０２側から視認可能な図柄３１である。
【００６２】
また、図２に示すように、包装材１０の動物図柄３１の上下方向は、包装材１０の短手方向に揃っている。そのため、包装材１０が、ナプキン１を内包しつつ、包装材１０の短手方向（所定方向）に沿う折り部２１で折り畳まれた個包装体２０の状態（図３Ｂ）において、折り部２１に位置する包装材１０の動物図柄３１の上下方向は、折り部２１が延びる方向に揃っている。
【００６３】
そして、図７Ａに示すように、個包装体２０の折り部２１の延びる方向がパッケージ４０の上下方向に揃っている。よって、個包装体２０がパッケージ４０に内包されている状態において、個包装体２０が有する動物図柄３１の上下方向が、パッケージ４０の上下方向に揃っている。すなわち個包装体２０の動物図柄３１の上下方向がパッケージ４０の上下方向に沿って略平行であり、動物図柄３１の上側がパッケージ４０の上側と一致している。
【００６４】
さらに、本実施形態のパッケージ４０は、その正面４０Ａに、透明性を備えた窓部４１を有する。窓部４１によって、パッケージ４０の外部から個包装体２０の一部が視認可能となっている。本実施形態では、図７Ａ及び図７Ｂに示すように、個包装体２０が有する折り部２１のうち、第１折り部２１１の方が第２折り部２１２に比べて、動物図柄３１が配置されている領域が大きい。そこで、個包装体２０は、パッケージ４０内において、第１折り部２１１がパッケージ４０の正面４０Ａの窓部４１に向くように配置されている。
【００６５】
したがって、図８に示すように、パッケージ４０の窓部４１から、個包装体２０の第１折り部２１１に位置する動物図柄３１の少なくとも一部が視認可能となっている。そして、パッケージ４０の窓部４１から視認される個包装体２０（第１折り部２１１）の動物図柄３１の上下方向が、パッケージ４０の上下方向に揃っている。
【００６６】
この場合も同様に、窓部４１から視認される個包装体２０の動物図柄３１の上下方向がパッケージ４０の上下方向に揃っている状態を見たユーザーの潜在意識には、動物図柄３１及びその上下方向が刷り込まれる。よって、ナプキン１を装着するために、個包装体２０を開封して展開した状態（図４）において、個包装体２０の動物図柄３１と同じ種類であるナプキン１の動物図柄３２を見たユーザーは、その動物図柄３２が上下方向を有し、その動物図柄３２の上下方向がナプキン１の前後方向に対応していることを潜在的に認知しやすい。そのため、ナプキン１の使用に不慣れなユーザーであっても、正しい前後方向の向きでナプキン１を装着するよう誘導できる。
【００６７】
また、動物図柄３２の代わりに、ナプキン１の前後方向を示す「矢印」や「前側」といった文字等をナプキン１に設けた場合にも、正しい前後方向の向きでナプキン１が装着されやすくなる。しかし、上記のような、方向を示す直接的な表現である場合、ナプキン１の前後方向を確認して装着しなければならにというプレッシャーをユーザーに与えてしまう。特に、ナプキン１は比較的に暗く狭いトイレの個室内で装着されるため、ユーザーにとってナプキン１の方向を確認する作業は手間となる。
【００６８】
一方、本実施形態では、パッケージ４０、個包装体２０、及び、ナプキン１の動物図柄３５，３１，３２の上下方向に基づいて、ナプキン１の前後方向をユーザーに示唆する。そのため、ユーザーが正しい前後方向の向きでナプキン１を装着するように自然に誘導できる。よって、ユーザーがナプキン１の前後方向を確認するプレッシャーや手間を軽減でき、短時間でナプキン１を装着できる。例えば、ナプキン１の使用に不慣れな女子小中高生は、学校の休み時間等の決められた時間内にナプキン１を交換することが多い。そのため、本実施形態のように短時間で装着できるナプキン１が適している。
【００６９】
また、ナプキン１の前後方向を示す図柄として動物図柄を採用することで、個包装体２０が可愛らしいデザインとなる。よって、生理期間中の女子小中高生の憂鬱な気分も緩和できる。
【００７０】
なお、パッケージ４０の外部から、パッケージ４０の外表面の動物図柄３５と、窓部４１を介した個包装体２０の動物図柄３１の両方を視認可能とすることが好ましいが、何れか一方のみを視認可能としてもよい。つまり、パッケージ４０の外表面の動物図柄３５は有するが窓部４１を有さない形態でもよいし、窓部４１は有するがパッケージ４０の外表面の動物図柄３５を有さない形態でもよい。また、パッケージ４０の外表面の動物図柄３５は有するが個包装体２０（包装材１０）が動物図柄３１を有さない形態でもよい。
【００７１】
また、パッケージ４０の外表面の動物図柄３５と、個包装体２０の動物図柄３１を視認可能にする窓部４１とが、パッケージ４０の異なる面に設けられていてもよいが、同じ面、特にパッケージ４０の正面４０Ａに設けられているとよい。そうすることで、パッケージ４０の動物図柄３５及び個包装体２０の動物図柄３１が、ユーザーに着目されやすく、ユーザーの潜在意識により刷り込まれる。
【００７２】
パッケージ４０や個包装体２０やナプキン１の動物図柄３５，３１，３２は、それらを見たユーザーが動物の上下方向を分かる図柄であればよい。例えば、猫に限らず、クマやウサギ等の別の動物であってもよい。また、動物のシルエットに限らず、表情（目口鼻等）が描かれた図柄であってもよい。また、頭と胴体を有するに限らず、頭だけの図柄（例えば後述の図１１Ａ参照）であってもよい。
【００７３】
また、パッケージ４０や個包装体２０の動物図柄３５，３１が、ナプキン１の動物図柄３２と同じ種類の動物であるとは、それら動物図柄３５，３１，３２が、例えば、猫の図柄であればよく、同一形状又は相似形状であるものに限定されず、異なる形状であってもよい。
【００７４】
また、一般のナプキンでは、吸収体の型崩れ防止等の目的で圧縮凹部が形成される。その圧縮凹部７によって動物図柄３２を形成することで、圧縮凹部７とは別に、例えば印刷等でナプキン１に動物図柄を設ける場合に比べて、ナプキン１の製造工程を容易にでき、低コスト化を図れる。また、ナプキンの表面は一般に白いが、圧縮凹部７によれば、３次元的な陰影又は吸収性繊維の粗密で動物図柄３２を表現できる。よって、インク等を使用せずに又は使用量を減らして動物図柄３２を表現できる。
【００７５】
また、圧縮凹部７によって形成された動物図柄３２は、排泄液の吸収後も視認可能である。よって、ユーザーは、ナプキン１の使用後も、ナプキン１の動物図柄３２の上下方向に基づいて、正しい前後方向の向きでナプキン１を装着していたかを確認できる。
【００７６】
また、ナプキン１の折り位置ＦＬ２（図５Ａ参照）において、吸収体２を幅方向に３等分し、左側領域、中央領域、右側領域に分けた場合の、いずれかの領域において、長手方向に延びた一対の圧搾部３２４，３２５が設けられているとよい。本実施形態では、ナプキン１の後方領域１Ｃであり、吸収体２の右側領域に、長手方向に延びた一対の圧搾部３２４，３２５が設けられている。この一対の圧搾部３２４，３２５によって、猫の尻尾が表されている。
【００７７】
このように、幅方向の狭い吸収体２の領域に、一対の圧搾部３２４，３２５が設けられていることで、吸収体２の剛性が高まり、吸収体２のよれや崩れを抑制できる。特に、着用者の臀部に当接するナプキン１の後方領域１Ｃは、臀部の動きによって吸収体２がよれやすいが、ナプキン１の使用後も、一対の圧搾部３２４，３２５による猫の尻尾部分の形状が維持されやすい。ナプキン１の使用後に、猫の尻尾部分の形状が維持されることで、猫全体の図柄も視認されやすくなる。
【００７８】
また、図１に示すように、本実施形態のナプキン１の外形形状は、ナプキン１の前後方向に対称な形状となっている。ただし、吸収体２の坪量（ｇ／ｍ2）は、ナプキン１の前後方向に非対称となっている。具体的に説明すると、吸収体２は、中央部分に高坪量領域２Ａを有し、高坪量領域２Ａの周囲に低坪量領域２Ｂを有する。ただし、ナプキン１を前後方向に２等分する中心線ＣＬ１に対して、高坪量領域２Ａが前側に寄って配置されている。そうすることで、着用者の排泄口が位置する前側の吸収能力が高まる。
【００７９】
このように、ナプキン１の吸収性等の機能向上のために、吸収体２の形状及び坪量の少なくとも一方が、ナプキン１の前後方向に非対称である場合がある。つまり、ナプキン１の外観は前後対称であるが、ナプキン１の外観から視認不可能な吸収体２が前後非対称である場合がある。この場合、ユーザーはナプキン１の前後方向を認知しにくく、誤った前後方向の向きでナプキン１を装着しやすくなる。よって、本発明の採用がより有効となる。
【００８０】
なお、吸収体２の坪量（単位面積当たりの質量）の比較は周知の方法で行うとよい。例えば、ナプキン１から対象部位をサンプルとして切り出し、サンプルの質量及び面積を測定し、サンプルの質量を面積で除することで得られた値（ｇ／ｍ2）で比較するとよい。また、ナプキン１を前後方向に沿って切った断面に基づいて比較してもよい。
【００８１】
次に、パッケージ４０の窓部４１から視認可能な個包装体２０の動物図柄３１の大きさについて説明する。つまり、包装材１０の外側面１０２側から視認可能な動物図柄３１の大きさである。そのため、個包装体２０を開封して展開した状態における動物図柄３１の大きさとして、包装材１０が展開している状態を示す図２を用いて説明する。
【００８２】
また、本実施形態では、包装材１０の動物図柄３１の大きさは全て同じとする。ただし、包装材１０の動物図柄３１の大きさが異なる場合には、窓部４１から視認される動物図柄３１の大きさが以下の大きさであるとよい。
【００８３】
まず、図８に示すように、パッケージ４０の上下方向における窓部４１の最大長さＬ２は、個包装体２０を開封して展開した状態における個包装体２０の動物図柄３１の上下方向の長さＬ１以上（図２参照）であることが好ましい（Ｌ２≧Ｌ１）。
【００８４】
そうすることで、上下方向に欠けていない個包装体２０の動物図柄３１や上下方向に欠けた部位の小さい動物図柄３１が、パッケージ４０の窓部４１から視認される。そのため、パッケージ４０を見たユーザーに、個包装体２０の動物図柄３１及びその上下方向が認識されやすく、個包装体２０の動物図柄３１の上下方向がパッケージ４０の上下方向に揃っている状態が、ユーザーの潜在意識に刷り込まれる。よって、ナプキン１の動物図柄３２を見たユーザーは、その上下方向に基づいて、正しい前後方向の向きでナプキン１を装着しやすくなる。
【００８５】
また、個包装体２０を開封して展開した状態において、動物図柄３１は、図２に示すように、動物図柄３１の上下方向に間隔を空けて配置され、かつ、動物図柄３１の幅方向が一致（重複）して配置された動物図柄３１の列が、動物図柄３０の幅方向に並んでいる。動物図柄３０の列における、ある動物図柄（第１動物図柄）３１ａの上端から、その下の動物図柄（第２動物図柄）３１ｂの上端までの上下方向の長さをＬ３とする。この長さＬ３は、個包装体２０の折り部２１に配置される、ある動物図柄３１の上端から、その下の動物図柄３１の上端までの上下方向の長さである。そこで、パッケージ４０の上下方向における窓部４１の最大長さＬ２は、この長さＬ３以上であることが好ましい（Ｌ２≧Ｌ３）。
【００８６】
そうすることで、窓部４１に対向する個包装体２０の折り部２１の部位に、動物図柄３１の少なくとも一部が配置され、また、複数の動物図柄３１が上下方向に並んで配置されやすくなる。そのため、パッケージ４０の窓部４１から個包装体２０の動物図柄３１が視認され、その動物図柄３１の上下方向がパッケージ４０の上下方向に揃っている状態が、ユーザーの潜在意識に刷り込まれやすい。よって、ナプキン１の動物図柄３２を見たユーザーは、その上下方向に基づいて、正しい前後方向の向きでナプキン１を装着しやすくなる。
【００８７】
また、パッケージ４０に内包されている状態における個包装体２０の厚みＷ３は、個包装体２０を開封して展開した状態における動物図柄３１の幅方向の長さＷ１（図２参照）の１／２以上であることが好ましい（Ｗ３≧Ｗ１／２）。より好ましくは、パッケージ４０に内包されている状態における個包装体２０の厚みＷ３は、個包装体２０を開封して展開した状態における動物図柄３１の幅方向の長さＷ１以上であることが好ましい（Ｗ３≧Ｗ１）。
【００８８】
そうすることで、窓部４１に対向する個包装体２０の折り部２１の部位に、幅方向に欠けていない動物図柄３１や幅方向に欠けた部位の小さい動物図柄３１が配置され、それらがパッケージ４０の窓部４１から視認される。そのため、パッケージ４０を見たユーザーに、個包装体２０の動物図柄３１及びその上下方向が認識されやすく、個包装体２０の動物図柄３１の上下方向がパッケージ４０の上下方向に揃っている状態が、ユーザーの潜在意識に刷り込まれる。よって、ナプキン１の動物図柄３２を見たユーザーは、その上下方向に基づいて、正しい前後方向の向きでナプキン１を装着しやすくなる。
【００８９】
また、図２に示すように、個包装体２０は、開封して展開した状態において、動物図柄３１が配置されている配置領域Ａ１と、動物図柄３１が配置されていない非配置領域Ａ２とを、動物図柄３１の幅方向に交互に有している。そこで、パッケージ４０に内包されている状態における個包装体２０の厚みＷ３は、個包装体２０を開封して展開した状態における非配置領域Ａ２の幅Ｗ４よりも大きいことが好ましい（Ｗ３＞Ｗ４）。
【００９０】
そうすることで、窓部４１に対向する個包装体２０の折り部２１の部位に、動物図柄３１の配置領域Ａ１の少なくとも一部が位置する。そのため、パッケージ４０の窓部４１から個包装体２０の動物図柄３１が視認され、その動物図柄３１の上下方向がパッケージ４０の上下方向に揃っている状態が、ユーザーの潜在意識に刷り込まれやすい。よって、ナプキン１の動物図柄３２を見たユーザーは、その上下方向に基づいて、正しい前後方向の向きでナプキン１を装着しやすくなる。
【００９１】
なお、本実施形態では、配置領域Ａ１と非配置領域Ａ２の幅は全て一定であるとする。ただし、一定でない場合には、パッケージ４０に内包されている状態における個包装体２０の厚みＷ３は、最小の非配置領域Ａ２の幅Ｗ４よりも大きければよく、より好ましくは最大の非配置領域Ａ２の幅Ｗ４よりも大きいとよい。
【００９２】
また、図８に示すように、パッケージ４０内において、個包装体２０はその厚み方向に並んでいる。個包装体２０の厚み方向に隣り合う個包装体２０それぞれの折り部２１に位置する動物図柄３１（３１ｃ，３１ｄ）の少なくとも一部は、動物図柄３１の上下方向にずれて配置されていることが好ましい。
【００９３】
仮に、隣り合う個包装体２０それぞれの動物図柄３１の上下方向の位置が完全に一致してしまうと、動物図柄３１の輪郭が分かりにくく、動物図柄３１がユーザーに認識されにくくなってしまう。そこで、上記のように動物図柄３１をずらすことで、パッケージ４０を見たユーザーに、個包装体２０の動物図柄３１及びその上下方向が認識されやすく、個包装体２０の動物図柄３１の上下方向がパッケージ４０の上下方向に揃っている状態が、ユーザーの潜在意識に刷り込まれる。よって、ナプキン１の動物図柄３２を見たユーザーは、その上下方向に基づいて、正しい前後方向の向きでナプキン１を装着しやすくなる。
【００９４】
なお、パッケージ４０に内包されている状態における個包装体２０の厚みＷ３の測定は周知の方法で行うとよい。例えば、パッケージ４０の窓部４１から視認される個包装体２０の厚みを、定規等を用いて測定するとよい。また、窓部４１を有さないパッケージ４０の場合には、例えば、パッケージ４０の横方向の長さを測定し、その測定値からパッケージ４０（袋体）の厚みを減じ、その値を個包装体２０が並ぶ数で除してもよい。
【００９５】
また、本実施形態では、個包装体２０の外部から視認可能な動物図柄３１、及び、パッケージ４０の動物図柄３５が、黒色（猫の部位）とピンク色（リボンの部位）で構成される。このように動物図柄３１，３５が、黒色、及び、黒色と異なる色の有色を有することが好ましい。また、動物図柄３１，３５が反対色を有していてもよい。例えば、動物図柄が、緑系統の色と、その反対色となる赤系統の色で構成されているとよい。
【００９６】
そうすることで、パッケージ４０において、その外表面の動物図柄３５、及び、個包装体２０の動物図柄３１が目立ち、パッケージ４０の外観を見たユーザーに動物図柄３５，３１が認識されやすくなる。よって、パッケージ４０や個包装体２０の動物図柄３５，３１の上下方向がパッケージ４０の上下方向に揃っている状態が、ユーザーの潜在意識に刷り込まれやすくなる。
【００９７】
なお、有色とは、無色透明及び白色以外の色とする。白色とは、例えば、マンセル表色系で「Ｎ９．５」と表される色や、ＲＧＢ色空間で「２５５，２５５，２５５」と表される色（所謂真っ白）に加え、真っ白との色差が１２未満である色も白色に含まれるものとする。
また、黒色と異なる色とは、例えば、黒色との色差が１３以上の色とする。その他、色見本（例えば、日本工業規格ＪＩＳ  Ｚ８１０２：２００１の付表１）で示される色名が黒色ではない色であってもよい。
また、反対色とは、例えば、オストワルト色相環において、正反対の位置にある色同士（補色）や、ある色及びある色の正反対の位置の隣に位置する色同士とする。
【００９８】
＜＜変形例について＞＞
図９Ａ及び図９Ｂは、個包装体２０の動物図柄３１の向きが異なる場合の説明図である。図９Ａは個包装体２０の平面図であり、図９Ｂはパッケージ４０の窓部４１を示す図である。図９Ａに示すように、個包装体２０の縦方向（包装材１０の長手方向）に動物図柄３１の上下方向が揃い、個包装体２０の横方向（包装材１０の短手方向）に動物図柄３１の幅方向が揃っていてもよい。つまり、個包装体２０の折り部２１の延びる方向に、動物図柄３１の上下方向が揃っていなくてもよい。
【００９９】
この場合、図９Ｂに示すように、個包装体２０はその横方向がパッケージ４０の奥行方向に揃うように、パッケージ４０に内包されているとよい。さらに、パッケージ４０の側面４０Ｂに、個包装体２０の平面（例えば図９Ａに示す面）を視認可能な窓部４１を設けるとよい。そうすることで、パッケージ４０の側面４０Ｂの窓部４１から視認される個包装体２０の動物図柄３１の上下方向を、パッケージ４０の上下方向に揃えることができる。よって、図９Ｂの状態が潜在意識に刷り込まれたユーザーは、ナプキン１の動物図柄３２の上下方向に基づいて、正しい前後方向の向きでナプキン１を装着しやすくなる。
【０１００】
図１０Ａ及び図１０Ｂは、パッケージ４０の変形例の説明図である。パッケージ４０が、ナプキン１の動物図柄３２と同じ種類の動物図柄３５を有さず、かつ、窓部４１を有していなくてもよい。その場合、個包装体２０がパッケージ４０に内包されている状態において、個包装体２０が有する動物図柄３１が、パッケージ４０の上下方向に揃っていればよい。
【０１０１】
例えば、パッケージ４０から個包装体２０を取り出すための切り取り線４３ａがパッケージ４０の上面４０Ｃ（図６参照）に設けられているとする。その場合、図１０Ａに示すように、パッケージ４０から個包装体２０を上に取り出したときに、ユーザーは、個包装体２０の動物図柄３１の上下方向がパッケージ４０の上下方向に揃っている状態を視認できる。
【０１０２】
また、例えば、切り取り線４３ｂがパッケージ４０の側面４０Ｂに設けられているとする。その場合、図１０Ｂに示すように、パッケージ４０を開封した時に、ユーザーは、個包装体２０の動物図柄３１の上下方向がパッケージ４０の上下方向に揃っている状態を視認できる。その状態が潜在意識に刷り込まれたユーザーは、ナプキン１の動物図柄３２の上下方向に基づいて、正しい前後方向の向きでナプキン１を装着しやすくなる。
【０１０３】
図１１Ａから図１１Ｄは、個包装体２０の変形例の説明図である。
前述の個包装体２０が有するナプキン１（図１）は、ナプキン１の前後方向の広い範囲に亘る動物図柄３２を１つ有していたが、これに限らない。例えば、図１１Ａに示すように、ナプキン１の一部に小さい動物図柄３３を複数（又は１つ）設けてもよい。
【０１０４】
また、トップシート３及び吸収体２を圧縮した圧縮凹部７によって、ナプキン１の動物図柄３２を形成するに限らない。例えば、図１１Ｂに示すように、ナプキン１の幅方向の両側部に形成された溶着部１Ｄのパターンによって、ナプキン１の動物図柄３４を形成してもよい。また、ナプキン１の肌側面に動物図柄を印刷してもよい。
【０１０５】
また、個包装体２０の外部から視認可能な動物図柄３１は、包装材１０に設けられるに限らない。例えば、図１１Ｃに示すように、ずれ止め用の粘着部９が塗布されているナプキン１のバックシート４に、動物図柄３１が設けられていてもよい。また、例えば、図１１Ｄに示すように、ナプキン１のずれ止め用の粘着部９を覆う剥離シート１３に、動物図柄３１が設けられていてもよい。
【０１０６】
図１２は、包装材１０の動物図柄３１の変形例の説明図である。図２に示す包装材１０は、動物図柄３１が配置されていない非配置領域Ａ２を有しているが、これに限らない。例えば、図１２に示すように、個包装体２０（包装材１０）を開封して展開した状態において、複数の動物図柄３１は、動物図柄３１の幅方向及び上下方向に並んで配置されており、かつ、上下方向に隣り合う動物図柄３１ｅ，３１ｆは、幅方向にずれて配置されるとともに、幅方向に重なり部分Ａ３を有するようにしてもよい。
【０１０７】
この場合、包装材１０は、動物図柄３２の幅方向（図１２では包装材１０の長手方向）の全域にわたり、動物図柄３２が配置され、非配置領域を有さない。そのため、パッケージ４０の窓部４１に対向する個包装体２０の折り部２１に、動物図柄３１の少なくとも一部が配置される。そのため、パッケージ４０の窓部４１から個包装体２０の動物図柄３１が視認され、動物図柄３１の上下方向がパッケージ４０の上下方向に揃っている状態がユーザーの潜在意識に刷り込まれる。よって、ユーザーは、ナプキン１の動物図柄３２の上下方向に基づいて、正しい前後方向の向きでナプキン１を装着しやすくなる。
【０１０８】
以上、上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【符号の説明】
【０１０９】
１  （生理用）ナプキン（吸収性物品）、
２  吸収体、３  トップシート（肌側シート）、
４  バックシート、５  ウィング部、
７  圧縮凹部（凹部）、８  点状圧縮部、９  粘着部
１０  包装材、１１  テープ、１２  剥離シート、
１３  剥離シート、１４  粘着剤、
２０  個包装体（吸収性物品包装体）、２１  折り部、
３０〜３５  動物図柄、
４０  パッケージ、４１  窓部、４２  商品名、
Ａ１  配置領域、Ａ２  非配置領域、
【図１】
2018100130.tif 000003
【図２】
2018100130.tif 000004
【図３】
2018100130.tif 000005
【図４】
2018100130.tif 000006
【図５】
2018100130.tif 000007
【図６】
2018100130.tif 000008
【図７】
2018100130.tif 000009
【図８】
2018100130.tif 000010
【図９】
2018100130.tif 000011
【図１０】
2018100130.tif 000012
【図１１】
2018100130.tif 000013
【図１２】
2018100130.tif 000014